(57)【要約】【構成】  ディジタルカメラ１０は電子コンパス４０を備えており、交換レンズ，フラッシュライト，シャッターリモコン，ステレオマイクロフォン，および電子ビューファインダ等の付属品を装着した場合、装着された付属品の内部磁界が撮影方位の検出に及ぼす影響を補正する補正データを取得する。そして、前記補正データを参照して、電子コンパス４０が示す撮影方位を補正する。【効果】  ディジタルカメラ１０における電子コンパス４０の補正が容易に可能となり、利便性が向上する。【選択図】図２
2014225814.tif 000002
【特許請求の範囲】
【請求項１】
撮影方向を表す撮影方位を検出する撮影方位検出手段、
電子カメラに装着される付属品の内部磁界が前記撮影方位の検出に及ぼす影響を補正する補正データを取得する補正データ取得手段、および
前記補正データ取得手段で取得された補正データを参照して、前記撮影方位検出手段で検出された撮影方位を補正する撮影方位補正手段、
を備える、電子カメラ。
【請求項２】
さらに、前記付属品の判別を行う付属品判別手段を含む、請求項１記載の電子カメラ。
【請求項３】
前記補正データ取得手段は、前記付属品判別手段の判別結果を参照して、前記補正データを取得する、請求項２記載の電子カメラ。
【請求項４】
前記付属品判別手段は前記付属品と非接触通信により通信を行い、前記付属品を判別する判別データを受信する、請求項２または３記載の電子カメラ。
【請求項５】
前記付属品判別手段は前記付属品と直接接触して通信を行い、前記付属品を判別する判別データを受信する、請求項２または３記載の電子カメラ。
【請求項６】
さらに、前記補正データを前記付属品に関連付けて保存する補正データ保存手段を含む、請求項１ないし５のいずれかに記載の電子カメラ。
【請求項７】
前記補正データ取得手段は、前記補正データ保存手段に保存されたデータから選択して補正データを取得する、請求項６記載の電子カメラ。
【発明の詳細な説明】
【技術分野】
【０００１】
この発明は、電子カメラに関し、特に電子コンパスによる方位検出機能を有する、電子カメラに関する。
【背景技術】
【０００２】
この種の電子カメラの一例が、特許文献１に開示されている。この背景技術によれば、撮影方位を表す撮影方位を検出する撮影方位検出手段を有し、検出された撮影方位に対応付けられている背景に関する情報を報知する。ユーザは報知された情報を参考にして、被写体の背景を決定することができる。
【先行技術文献】
【特許文献】
【０００３】
【特許文献１】特開２０１０−１１８７３７号公報
【発明の概要】
【発明が解決しようとする課題】
【０００４】
しかし、背景技術では、例えば、付近に強い磁気を発するものがあるなど、使用環境によっては地磁気が乱れ、方位が計測されない場合がある。このような場合には、電子コンパスを搭載した機器を、例えば手に持ち８の字に回転させるなどして、電子コンパスの調整をする必要がある。電子カメラ等の機器は、付属品を取り付けて使用することが多いが、この補正は付属品を取り付けた状態で行う必要がある。したがって、付属品が多数存在し、その取替えが可能である場合、付属品の取替えを行うたびに再補正を行わなければならない。
【０００５】
それゆえに、この発明の主たる目的は、電子コンパスの補正が容易に可能である、電子カメラを提供することである。
【課題を解決するための手段】
【０００６】
この発明に従う電子カメラ(10：実施例で相当する参照符号。以下同じ)は、撮影方向を表す撮影方位を検出する撮影方位検出手段(40，S17，S31〜S37)、電子カメラに装着される付属品の内部磁界が撮影方位の検出に及ぼす影響を補正する補正データを取得する補正データ取得手段(S41〜S55)、および補正データ取得手段で取得された補正データを参照して、撮影方位検出手段で検出された撮影方位を補正する撮影方位補正手段(S19〜S23)、を備える。
【０００７】
好ましくは、電子カメラ(10)は、さらに、付属品の判別を行う付属品判別手段(S41〜S49)を含む。
【０００８】
好ましくは、補正データ取得手段は、付属品判別手段の判別結果を参照して、補正データを取得する。
【０００９】
好ましくは、付属品判別手段は、付属品と非接触通信により通信を行い、あるいは、付属品と直接接触して通信を行い、付属品を判別する判別データを受信する。
【００１０】
好ましくは、電子カメラ(10)は、さらに、補正データを付属品に関連付けて保存する補正データ保存手段を含む。
【００１１】
好ましくは、補正データ取得手段は、補正データ保存手段に保存されたデータから選択して補正データを取得する。
【発明の効果】
【００１２】
本発明の電子カメラは、電子コンパス等の撮影方位検出手段の補正を、電子カメラに装着される付属品毎に取得される補正データを参照して行う。これによって、電子コンパスの補正が容易に可能であり、利便性が向上する。
【００１３】
この発明の上述の目的，その他の目的，特徴および利点は、図面を参照して行う以下の実施例の詳細な説明から一層明らかとなろう。
【図面の簡単な説明】
【００１４】
【図１】この発明の一実施例の基本的構成を示すブロック図である。
【図２】この実施例に適用されるディジタルカメラの構成の一例を示すブロック図である。
【図３】図２実施例に適用されるＣＰＵの動作の一部を示すフロー図である。
【図４】図２実施例に適用されるＣＰＵの動作の他の一部を示すフロー図である。
【図５】図２実施例に適用されるＣＰＵの動作のその他の一部を示すフロー図である。
【図６】図２実施例に適用されるＣＰＵの動作のさらにその他の一部を示すフロー図である。
【発明を実施するための形態】
【００１５】
以下、この発明の実施の形態を図面を参照しながら説明する。
［基本的構成］
【００１６】
図１を参照して、この実施例の電子カメラは、基本的に次のように構成される。撮影方位検出手段１は、撮影方向を表す撮影方位を検出する。補正データ取得手段２は、電子カメラに装着される付属品の内部磁界が撮影方位の検出に及ぼす影響を補正する補正データを取得する。撮影方位補正手段３は、補正データ取得手段で取得された補正データを参照して、撮影方位検出手段で検出された撮影方位を補正する。
【００１７】
この電子カメラは、電子コンパス等の撮影方位検出手段の補正を、電子カメラに装着される付属品毎に取得される補正データを参照して行う。これによって、電子コンパスの補正が容易に可能であり、利便性が向上する。
［実施例］
【００１８】
この実施例のカメラシステムは、図２に示すように構成されたディジタルカメラ１０と、ディジタルカメラ１０に装着される１または２以上の付属品とによって形成される。ディジタルカメラ１０および付属品のいずれも、ＲＦＩＤ（Radio  Frequency  IDentification）による近距離無線通信機能を有する。ディジタルカメラ１０は、ＲＦモジュール（ＲＦＩＤリーダ）３８を備えており、付属品はＲＦＩＤタグを備えている。ＲＦＩＤ通信は、ＲＦモジュール３８およびＲＦＩＤタグによって実行される。
【００１９】
図２を参照して、ディジタルカメラ１０は、ドライバ１８ａ，１８ｂおよび１８ｃによってそれぞれ駆動されるフォーカスレンズ１２，絞り機構１４およびイメージセンサ１６を含む。シーンを表す光学像は、フォーカスレンズ１２および絞り機構１４を経てイメージセンサ１６の撮像面に照射される。
【００２０】
ＣＰＵ２２は、マルチタスクＯＳの制御の下で、以下で述べる撮像タスク，撮影方位検出タスクおよび，補正データ取得タスクを含む複数のタスクを並列的に実行する。なお、これらのタスクに対応する制御プログラムは、フラッシュメモリ４４に記憶される。
【００２１】
電源が投入されると、ＣＰＵ２２は、撮像タスクの下で動画取り込み処理を開始するべく露光動作および電荷読み出し動作の繰り返しをドライバ１８ｃに命令する。ドライバ１８ｃは、垂直同期信号Ｖｓｙｎｃが発生する毎に撮像面を露光し、これによって生成された電荷をラスタ走査態様で撮像面から読み出す。この結果、読み出された電荷に基づく生画像データがイメージセンサ１６から繰り返し出力される。
【００２２】
信号処理回路２０は、イメージセンサ１６から出力された生画像データに色分離，白バランス調整，ＹＵＶ変換などの処理を施す。これによって作成されたＹＵＶ形式の画像データをメモリ制御回路２４に通してＳＤＲＡＭ２６の動画像エリア２６ａに書き込む。
【００２３】
ＬＣＤドライバ２８は、動画像エリア２６ａに格納された画像データをメモリ制御回路２４を通して繰り返し読み出し、読み出された画像データに基づいてＬＣＤモニタ３０を駆動する。この結果、撮像面で捉えられたシーンを表すリアルタイム動画像（スルー画像）がモニタ画面に表示される。
【００２４】
信号処理回路２０によって作成されたＹデータは、ＣＰＵ２２にも与えられる。キー入力装置３６に設けられたシャッタボタン３６ｓｈが非操作状態にあるとき、ＣＰＵ２２は、信号処理回路２０から与えられたＹデータに基づいて簡易ＡＥ処理を実行し、適正ＥＶ値を算出する。算出された適正ＥＶ値を定義する絞り量および露光時間はドライバ１８ｂおよび１８ｃに設定され、これによってスルー画像の明るさが大まかに調整される。
【００２５】
シャッタボタン３６ｓｈがユーザによって半押しされると、ＣＰＵ２２は、信号処理回路２０から与えられたＹデータに基づいて厳格ＡＥ処理を実行し、最適ＥＶ値を算出する。算出された最適ＥＶ値を定義する絞り量および露光時間もまたドライバ１８ｂおよび１８ｃに設定され、これによってスルー画像の明るさが厳格に調整される。ＣＰＵ２２はまた、信号処理回路２０から与えられたＹデータの高周波成分に基づいてＡＦ処理を実行する。フォーカスレンズ１２はＡＦ処理によって発見された合焦点に配置され、これによってスルー画像の鮮鋭度が向上する。
【００２６】
シャッタボタン３６ｓｈが全押しされると、ＣＰＵ２２は、静止画取り込み処理を実行するとともに、記録処理の実行をメモリＩ／Ｆ３２に命令する。シャッタボタン３６ｓｈが全押しされて静止画取込み処理が行われた時点のシーンを表す１フレームの画像データは、静止画取り込み処理によって動画像エリア２６ａから静止画像エリア２６ｂに退避される。記録処理の実行を命令されたメモリＩ／Ｆ３２は、こうして退避された画像データをメモリ制御回路２４を通して読み出す。読み出された画像データを、前記画像データの取込み処理時の撮影方位データとともに、ファイル形式で記録媒体３４に記録する。
【００２７】
ここで、ディジタルカメラ１０に付属品が装着されていると、前記付属品の内部磁界が撮影方位の検出に影響を及ぼす場合がある。付属品に起因する撮影方位の補正が必要な場合、後述の補正データ取得タスクにより得られた補正データを参照して、撮影方位補正処理を行った後の撮影方位データとともに、読み出された画像データをファイル形式で記録媒体３４に記録する。
【００２８】
ＣＰＵ２２には、ＧＰＳ装置３８，および電子コンパス４０が接続される。ＣＰＵ２２は、ＧＰＳ装置３８，および電子コンパス４０の出力を参照した以下の処理を、撮像タスクと並列する撮影方位検出タスクの下で実行する。
【００２９】
まず、電子コンパス４０は、方位測定を行う。電子コンパス４０は、方位検出信号（地磁気）を取得する。ディジタルカメラ１０がＧＰＳ通信圏内にある場合には、ＧＰＳ装置３８の測位により取得する緯度，経度をもとに偏角の補正を行い、撮影方位データを得る。得られた撮影方位データは、ＣＰＵ２２に供給される。ＣＰＵ２２は、得られた撮影方位データをメモリ制御回路２４を通してＳＤＲＡＭ２６のワークエリア２６ｃに書き込む。
【００３０】
補正データ取得タスクの下で、ＣＰＵ２２は、キー入力装置３６に設けられたモードキー３６ｍｄによってＲＦＩＤ通信機能がオン状態であることを条件として、付属品が備えるＲＦＩＤタグからの付属品ＩＤの読み取りを、ＲＦモジュール（ＲＦＩＤリーダ）３８に命令する。ＲＦモジュール３８は、付属品ＩＤを繰り返し探索する。
【００３１】
未登録の付属品ＩＤがＲＦモジュール３８によって受信されると、ＣＰＵ２２は、ＬＣＤモニタ３０を利用してＩＤ登録をユーザに促す。付属品ＩＤは、キー入力装置３６に設けられた登録ボタン３６ｒによる登録操作が行われたときに、ＣＰＵ２２によってレジスタＲＧＳＴ１に登録される。
【００３２】
付属品ＩＤの読み取りが行われると、ＣＰＵ２２は、その付属品の内部磁界がディジタルカメラ１０の撮影方位の検出に及ぼす影響を補正する補正データを取得する。前記補正データは、付属品に設けられたタグに補正データ等の情報を記録しておき、前記タグから取得することができるが、これに限定されず、例えば、外部データベースに、付属品に関する補正データ等の情報をその付属品に設けられたタグの識別子（ＩＤ）とともに蓄積しておき、リーダが通信範囲内のタグの識別子を取得すると、タグ識別子よりそのタグが設けられた付属品の情報を前記外部データベースから取得してもよい。また、あるいは、付属品に関する前記情報を、フラッシュメモリ４４に予め記憶させておき、取得してもよい。
【００３３】
モードキー３６ｍｄの操作によってＲＦＩＤ通信機能がオン状態からオフ状態に切り換えられると、ＣＰＵ２２は、ＲＦ接続を解除する。上述の処理は、ＲＦＩＤ通信機能がオフ状態からオン状態に切り換えられたときに再度実行される。
【００３４】
ＣＰＵ２２は、図３および図４に示す撮像タスク、図５に示す撮影方位検出タスク、および図６に示す補正データ取得タスクを並列的に実行する。なお、これらのタスクに対応する制御プログラムは、フラッシュメモリ４４に記憶される。
【００３５】
図３および図４を参照して、ステップＳ１では動画取り込み処理を実行する。この結果、撮像面で捉えられたシーンを表すスルー画像がＬＣＤモニタ３０に表示される。ステップＳ３ではシャッタボタン３６ｓｈが半押しされたか否かを判別する。
【００３６】
ステップＳ３の判別結果がＮＯであれば、ステップＳ５で簡易ＡＥ処理を繰り返し実行する。この結果、スルー画像の明るさが大まかに調整される。ステップＳ３の判別結果がＮＯからＹＥＳに更新されると、ステップＳ７で厳格ＡＥ処理を実行し、ステップＳ９でＡＦ処理を実行する。厳格ＡＥ処理の結果、スルー画像の明るさが厳格に調整される。また、ＡＦ処理の結果、スルー画像の鮮鋭度が向上する。
【００３７】
ステップＳ１１ではシャッタボタン３６ｓｈが全押しされたか否かを判別し、ステップＳ１３ではシャッタボタン３６ｓｈの操作が解除されたか否かを判別する。ステップＳ１３の判別結果がＹＥＳであればそのままステップＳ３に戻り、ステップＳ１１の判別結果がＹＥＳであればステップＳ１５〜Ｓ２５の処理を経てステップＳ３に戻る。
【００３８】
シャッタボタン３６ｓｈが全押しされたと判別されると、ステップＳ１５で、静止画取り込み処理を実行する。この結果、シャッタボタン３６ｓｈが全押しされた時点のシーンを表す１フレームの画像データが動画像エリア２４ａから静止画像エリア２４ｂに退避される。
【００３９】
ステップＳ１７では、前記画像データの取込み処理時の撮影方位を検出する。ステップＳ１９では、フラグＦＬＧｄｔが“１”である（補正データが取得されている）か否かを判別する。ステップＳ１９の判別結果がＮＯであればステップＳ２５に進む。ステップＳ１９の判別結果がＹＥＳであればステップＳ２１に進み、補正データを参照し、ステップＳ２３で撮影方位補正処理を行い、ステップＳ２５に進む。
【００４０】
ステップＳ２５では、記録処理の実行をメモリＩ／Ｆ３２に命令する。メモリＩ／Ｆ３２は、静止画像エリア２６ｂに格納された１フレームの画像データおよびワークエリア２６ｃに格納された撮影方位データをメモリ制御回路２４を通して読み出し、読み出された画像データをファイル形式で記録媒体３４に記録する。
【００４１】
撮影方位検出タスクは、図５に示すように構成される。ステップＳ３１では方位検出信号（地磁気）を取得する。ステップＳ３３では現在位置がＧＰＳ通信圏内であるか否かをＧＰＳ装置３８の出力に基づいて判別する。ステップＳ３３の判別結果がＹＥＳであればステップＳ３５に進み、ステップＳ３３の判別結果がＮＯであればステップＳ３７に進む。
【００４２】
ステップＳ３５では、ＧＰＳ装置３８の出力（緯度，経度）に基づいて偏角の補正処理を行い、撮影方位データを得る。ステップＳ３７では撮影方位データをメモリ制御回路２４を通してＳＤＲＡＭ２６のワークエリア２６ｃに書き込み、処理が完了すると、ステップＳ３１に戻る。ステップＳ３３の判別結果がＮＯである場合には、ステップＳ３１で取得された方位検出信号に基づくデータを撮影方位データとして扱う。
【００４３】
補正データ取得タスクは、図６に示すように構成される。ステップＳ４１では付属品が装着されているか否かを判別する。ＣＰＵ２２は、ＲＦモジュール（ＲＦＩＤリーダ）３８に付属品ＩＤの読み取りを命令する。付属品ＩＤがＲＦモジュール３８によって受信されたか否かを判別し、付属品ＩＤの受信があれば付属品が装着されている（ＹＥＳ）と判別してステップＳ４５に進み、付属品ＩＤの受信がなければ付属品が装着されていない（ＮＯ）と判別してステップＳ５５に進む。
【００４４】
ステップＳ４３では受信された付属品ＩＤがレジスタＲＧＳＴ１に登録済みであるか否かを判別し、判別結果がＹＥＳであればそのままステップＳ５１に進む一方、判別結果がＮＯであればステップＳ４５〜Ｓ４９の処理を経てステップＳ５１に進む。
【００４５】
ステップＳ４５では、ＬＣＤモニタ３０を利用してＩＤ登録をユーザに促し、ステップＳ４７では登録ボタン３６ｒによる登録操作が行われたか否かを繰り返し判別する。判別結果がＮＯからＹＥＳに更新されると、受信された付属品ＩＤをステップＳ４９でレジスタＲＧＳＴ１に登録する。
【００４６】
ステップＳ５１では、ＩＤが検出された付属品の内部磁界がディジタルカメラ１０の撮影方位の検出に及ぼす影響を補正する補正データを取得し、ステップＳ５３でＦＬＧｄｔを“１”（補正データが取得されている）に設定して処理を終了する。また、ステップＳ４１の判別結果がＮＯであれば、ステップＳ５５でフラグＦＬＧｄｔを“０”（補正データが取得されていない）に設定して処理を終了する。
【００４７】
以上の説明からわかるように、ディジタルカメラ１０は電子コンパス４０を備えており、交換レンズ，フラッシュライト，シャッターリモコン，ステレオマイクロフォン，および電子ビューファインダ等の付属品を装着した場合、装着された付属品の内部磁界が撮影方位の検出に及ぼす影響を補正する補正データを取得する。そして、前記補正データを参照して、電子コンパス４０が示す撮影方位を補正する。
【００４８】
これによって、ディジタルカメラ１０における電子コンパス４０の補正が容易に可能となり、利便性が向上する。
【００４９】
なお、この実施例では、ディジタルカメラ１０および付属品の各々に準備される近距離無線通信規格としてＲＦＩＤ規格を想定しているが、近距離無線通信規格はＷｉＦｉ規格，Ｂｌｕｅｔｏｏｔｈ（登録商標）規格，ＮＦＣ規格，ＺｉｇＢｅｅ規格，およびＷｉｒｅｌｅｓｓＨＤ規格であってもよく、準備される規格はＲＦＩＤ規格に限定されるものではない。
【００５０】
また、この実施例では、付属品の補正データを取得する際に、非接触通信である近距離無線通信を使用しているが、例えば、ディジタルカメラ１０にリーダ端子、付属品にモジュール端子を各々設けておき、これら端子を直接接触させて通信を行ってもよい。
【００５１】
さらに、この実施例では、ディジタルカメラ１０のＣＰＵ２２によって実行される複数のタスクに相当する制御プログラムはフラッシュメモリ４４に予め記憶される。しかし、一部の制御プログラムを内部制御プログラムとしてフラッシュメモリ４４に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００５２】
また、この実施例では、ＣＰＵ２２によって実行される処理を上述の要領で複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【００５３】
なお、この実施例では、ディジタルスチルカメラを用いて説明したが、本発明は、ディジタルビデオカメラ，携帯電話端末またはスマートフォンなどにも適用することができる。
【符号の説明】
【００５４】
１０  …ディジタルカメラ
２２  …ＣＰＵ
２６  …ＳＤＲＡＭ
３８  …ＧＰＳ装置
４０  …電子コンパス
４２  …ＲＦモジュール（ＲＦＩＤリーダ）
【図１】
2014225814.tif 000003
【図２】
2014225814.tif 000004
【図３】
2014225814.tif 000005
【図４】
2014225814.tif 000006
【図５】
2014225814.tif 000007
【図６】
2014225814.tif 000008